(57)【要約】【課題】共通チャネル信号の送信電力がセル間で異なることに起因する通信品質の劣化を緩和することのできる移動通信システムを提供する。【解決手段】基地局１０２，１０３は、移動局１０１におけるセル毎の共通パイロットチャネルの受信強度の報告を移動局１０１から受信すると、その報告の受信強度をセル毎の共通パイロットチャネルの送信電力に基づいて変換する。基地局制御装置１０６は、基地局１０２，１０３で変換された、セル毎の共通パイロットチャネルの受信強度に基づいて移動局１０１と接続するセルを決定する。【選択図】図１
2008098847.tif 000002
【特許請求の範囲】
【請求項１】
複数のセルを利用したハンドオーバが可能な移動通信システムであって、
移動局と無線で接続するためのセルを形成しており、前記移動局におけるセル毎の共通パイロットチャネルの受信強度の報告を前記移動局から受信すると、該報告の受信強度を前記セル毎の共通パイロットチャネルの送信電力に基づいて変換し、受信強度を変換した前記報告を転送する基地局と、
前記基地局から転送された前記報告を受信し、該報告に含まれている前記セル毎の共通パイロットチャネルの受信強度に基づいて前記移動局と接続するセルを決定する基地局制御装置と、を有する移動通信システム。
【請求項２】
複数のセルを利用したハンドオーバが可能な移動通信システムであって、
移動局と無線で接続するためのセルを形成しており、前記移動局におけるセル毎の共通パイロットチャネルの受信強度の報告を前記移動局から受信すると、該報告を転送する基地局と、
前記基地局から転送された前記報告を受信し、該報告の受信強度を前記セル毎の共通パイロットチャネルの送信電力に基づいて変換し、変換した前記セル毎の共通パイロットチャネルの受信強度に基づいて前記移動局と接続するセルを決定する基地局制御装置と、を有する移動通信システム。
【請求項３】
前記受信強度の変換は、相対的に、前記共通パイロットチャネルの送信電力の高いセルの受信強度を下げ、前記共通パイロットチャネルの送信電力の低いセルの受信強度を上げるように前記受信強度を補正することである、請求項１または２に記載の移動通信システム。
【請求項４】
前記受信強度の変換は、前記基地局におけるセル毎の上り信号のトータルの受信電力を更に用いて行われる、請求項１から３のいずれか１項に記載の移動通信システム。
【請求項５】
前記受信強度の変換は、前記基地局における、前記セルによるパスの信号対干渉電力比を更に用いて行われる、請求項１から４のいずれか１項に記載の移動通信システム。
【請求項６】
前記基地局は同一周波数の複数のセルを形成しており、
前記基地局制御装置は、前記移動局と接続するセルの決定に従って、前記基地局に該セルによる該移動局との接続を要求し、
前記基地局は、前記基地局制御装置から前記セルによる前記移動局との接続を要求されると、該セルにより前記移動局と接続すると共に、上り方向については該セルと同一周波数の他のセルでも前記移動局と接続する、請求項１から５のいずれか１項に記載の移動通信システム。
【請求項７】
前記基地局は、前記基地局制御装置から前記移動局との接続を要求されたセルのみで、前記移動局に送信電力制御の制御信号を送信する、請求項６に記載の移動通信システム。
【請求項８】
複数のセルを利用したハンドオーバが可能な移動通信システムにおけるハンドオーバ制御方法であって、
移動局におけるセル毎の共通パイロットチャネルの受信強度の報告を前記移動局から受信し、
該報告の受信強度を前記セル毎の共通パイロットチャネルの送信電力に基づいて変換し、
変換後の前記セル毎の共通パイロットチャネルの受信強度に基づいて前記移動局と接続するセルを決定する、ハンドオーバ制御方法。
【請求項９】
前記受信強度の変換は、相対的に、前記共通パイロットチャネルの送信電力の高いセルの受信強度を下げ、前記共通パイロットチャネルの送信電力の低いセルの受信強度を上げるように前記受信強度を補正することである、請求項８に記載のハンドオーバ制御方法。
【請求項１０】
前記受信強度の変換は、前記セル毎の上り信号のトータルの受信電力を更に用いて行われる、請求項８または９に記載のハンドオーバ制御方法。
【請求項１１】
前記受信強度の変換は、前記セルによるパスの信号対干渉電力比を更に用いて行われる、請求項８から１０のいずれか１項に記載のハンドオーバ制御方法。
【請求項１２】
前記移動通信システムの有する基地局は同一周波数の複数のセルを形成しており、
前記移動局と接続するセルの決定に従って、前記基地局に該セルによる該移動局との接続を要求し、
前記基地局は、前記基地局制御装置から前記セルによる前記移動局との接続を要求されると、該セルにより前記移動局と接続すると共に、上り方向については該セルと同一周波数の他のセルでも前記移動局と接続する、請求項８から１１のいずれか１項に記載のハンドオーバ制御方法。
【請求項１３】
前記基地局は、前記移動局との接続を要求されたセルのみで、前記移動局に送信電力制御の制御信号を送信する、請求項１２に記載のハンドオーバ制御方法。
【発明の詳細な説明】
【技術分野】
【０００１】
本発明は、移動通信システムに関し、特に移動通信システムにおけるハンドオーバ制御に関する。
【背景技術】
【０００２】
移動通信システムで用いられる通信方式として符号分割多元接続（ＣＤＭＡ：Ｃｏｄｅ  Ｄｉｖｉｓｉｏｎ  Ｍｕｌｔｉｐｌｅ  Ａｃｃｅｓｓ）方式がある。ＣＤＭＡ方式を用いた移動通信システムでは、同じ周波数に複数の信号が存在しても複数の拡散符号を用いることにより各信号を区別できる。それ故、同じ周波数によって複数のセルを構成することが可能となっている。
【０００３】
このようなＣＤＭＡ移動通信システムでは、移動局は特定周波数の信号を受信し、受信した信号の中から、拡散符号を用いた逆拡散処理により所望の信号を取り出している。複数の拡散符号を用いることにより移動局は複数のセルからの信号を同時に受信することができる。移動局が複数のセルからの信号を同時に受信しながら、どのセルからの信号を受信するかを切り替えることで瞬断の無いハンドオーバが実現されている。
【０００４】
移動局でのハンドオーバの判断のために無線基地局はセル毎に異なるＣＰＩＣＨ（共通パイロットチャネル）信号を送信する。移動局はＣＰＩＣＨ信号を受信してそのＣＰＩＣＨ信号を送信したセルを識別すると共に、ＣＰＩＣＨ信号の受信強度を所定の閾値と比較する。ＣＰＩＣＨ信号の受信強度を閾値と比較するのはそのＣＰＩＣＨ信号のパスの回線状態を判断するためである。そして、移動局は、受信した各ＣＰＩＣＨ信号の比較結果から、どのセルからの信号を受信すべきかを決定する。信号を受信するセルをハンドオーバ対象のセルということにする。どのセルから信号を受信するかを決定すると、つまりハンドオーバ対象のセルを決定すると、移動局はその決定に基づいてセルの追加および／または削除を行う。なお、この閾値は信号の受信が可能となる信号強度の範囲内で任意に設定できる。
【０００５】
しかし、無線基地局からのＣＰＩＣＨ信号の送信電力が全てのセルで等しいとは限らない。ＣＰＩＣＨ信号の送信電力がセル毎に異なれば、移動局が受信したＣＰＩＣＨ信号の信号強度からパスの回線状態を正しく判断できない。
【０００６】
一方、例えば移動局から各セルに向けた上りの個別チャネル信号は共通に送信されるので、送信電力がセル毎に異なることはない。それ故、上りの個別チャンネル信号の受信強度はパスのロスに応じて差が生じる。移動局はＣＰＩＣＨ信号の受信強度に基づいてハンドオーバに関する判断をするので、ロスの大きなパスがハンドオーバ対象として選択される場合があり、その場合には無線基地局での上りの個別チャネルの受信強度が低くなってしまう。
【０００７】
無線基地局は、移動局と同様に、複数のセルで受信した信号を合成することができる。それ故、選択している複数のパスの中にロスの小さいパスが含まれていれば個別チャネルを比較的良好な品質で受信できる。しかし、選択している全てのパスのロスが大きい状態では、無線基地局は個別チャネル信号を良好な品質で受信できない可能性がある。
【０００８】
図８は、ＣＰＩＣＨ信号の受信強度とパスロスの関係を説明するための図である。ここでは第１のセルと第２のセルの２つのセルからのＣＰＩＣＨ信号が移動局に到達しているものとする。図８において、ＰＴ１は第１のセルのＣＰＩＣＨ信号の送信電力を示し、ＰＴ２は第２のセルのＣＰＩＣＨ信号の送信電力を示している。また、ＰＲ１は第１のセルからのＣＰＩＣＨ信号の移動局での受信電力を示し、ＰＲ２は第２のセルからのＣＰＩＣＨ信号の移動局での受信電力を示している。Ｌ１は第１のセルと移動局の間のパスのロスを示し、Ｌ２は第２のセルと移動局の間のパスのロスを示している。
【０００９】
移動局がＡ点にいるときＰＲ１＞ＰＲ２なので、移動局では第２のセルとの間のパスよりも第１のセルとの間のパスの方が受信強度が高く、良好な状態に見える。しかし、各パスの実際のロスはＬ１＝ＰＴ１−ＰＲ１、Ｌ２＝ＰＴ２−ＰＲ２で示される。そして、図から分かるようにＬ１＞Ｌ２であり、移動局と第１のセルとの間のパスの方が移動局と第２のセルとの間のパスよりもロスが大きくなっている。つまり、上り信号を見ると、移動局と第２のセルとの間のパスの上りの個別チャネル信号の方が、移動局と第１のセルとの間のパスの上り個別チャネル信号よりもパスのロスが大きいにも拘らず受信強度が高いという逆転が起きている。
【００１０】
また下り信号について考えると、各セルから移動局への下りの個別チャネル信号は送信電力が固定された共通チャネルのＣＰＩＣＨ信号とは異なり、送信電力制御により増幅度が変換する。ロスの大きなパスがハンドオーバ対象として選択されると、無線基地局における送信電力が高く制御されたり、移動局での下りの個別チャネルの受信強度が低くなったりしまう可能性がある。
【００１１】
一方、上述したようなシステムと異なり、移動局が共通チャネル信号だけでなく下りの個別チャネル信号をも、ハンドオーバ対象のセルを決定する判断に用いるＣＤＭＡ移動通信システムがある（特許文献１参照）。
【特許文献１】特開２００６−５４６２５号公報
【発明の開示】
【発明が解決しようとする課題】
【００１２】
特許文献１に記載された移動通信システムでは、下り個別チャネル信号の品質が良好なセルがハンドオーバ対象となるので、共通チャネル信号と下り個別チャネル信号との相違に起因する通信品質の劣化を緩和することはできる。しかし、上述したような、共通チャネル信号であるＣＰＩＣＨ信号の送信電力がセル間で異なることに起因する通信品質の劣化は緩和されない場合があった。
【００１３】
本発明の目的は、共通チャネル信号の送信電力がセル間で異なることに起因する通信品質の劣化を緩和することのできる移動通信システムを提供することである。
【課題を解決するための手段】
【００１４】
上記目的を達成するために、本発明の移動通信システムは、複数のセルを利用したハンドオーバが可能な移動通信システムであって、
移動局と無線で接続するためのセルを形成しており、前記移動局におけるセル毎の共通パイロットチャネルの受信強度の報告を前記移動局から受信すると、該報告の受信強度を前記セル毎の共通パイロットチャネルの送信電力に基づいて変換し、受信強度を変換した前記報告を転送する基地局と、
前記基地局から転送された前記報告を受信し、該報告に含まれている前記セル毎の共通パイロットチャネルの受信強度に基づいて前記移動局と接続するセルを決定する基地局制御装置と、を有している。
【００１５】
また、本発明の他の移動通信システムは、複数のセルを利用したハンドオーバが可能な移動通信システムであって、
移動局と無線で接続するためのセルを形成しており、前記移動局におけるセル毎の共通パイロットチャネルの受信強度の報告を前記移動局から受信すると、該報告を転送する基地局と、
前記基地局から転送された前記報告を受信し、該報告の受信強度を前記セル毎の共通パイロットチャネルの送信電力に基づいて変換し、変換した前記セル毎の共通パイロットチャネルの受信強度に基づいて前記移動局と接続するセルを決定する基地局制御装置と、を有している。
【００１６】
本発明によれば、各セルの共通パイロットチャネルの送信電力に基づいて、共通パイロットチャネルの受信強度の値を補正するので、共通パイロットチャネルの送信電力値のセル間の差異による影響が緩和され、受信強度は各セルのパスの回線状態を正しく示すものとなり、移動局による通信における品質の劣化が緩和される。
【００１７】
また、前記受信強度の変換は、相対的に、前記共通パイロットチャネルの送信電力の高いセルの受信強度を下げ、前記共通パイロットチャネルの送信電力の低いセルの受信強度を上げるように前記受信強度を補正することであってもよい。
【００１８】
また、前記受信強度の変換は、前記基地局におけるセル毎の上り信号のトータルの受信電力を更に用いて行われることにしてもよい。また、前記受信強度の変換は、前記基地局における、前記セルによるパスの信号対干渉電力比を更に用いて行われることにしてもよい。
【００１９】
これらによれば、受信強度は各セルのパスの回線状態をより正しく示すものとなり、通信品質の劣化がより緩和される。
【００２０】
また、前記基地局は同一周波数の複数のセルを形成しており、
前記基地局制御装置は、前記移動局と接続するセルの決定に従って、前記基地局に該セルによる該移動局との接続を要求し、
前記基地局は、前記基地局制御装置から前記セルによる前記移動局との接続を要求されると、該セルにより前記移動局と接続すると共に、上り方向については該セルと同一周波数の他のセルでも前記移動局と接続することにしてもよい。これによって上り信号の基地局における受信の信号強度を高めることができる。
【００２１】
また、前記基地局は、前記基地局制御装置から前記移動局との接続を要求されたセルのみで、前記移動局に送信電力制御の制御信号を送信することにしてもよい。これによって無駄な送信電力を抑制することができる。
【発明の効果】
【００２２】
本発明によれば、各セルの共通パイロットチャネルの送信電力に基づいて、共通パイロットチャネルの受信強度の値を補正するので、共通パイロットチャネルの送信電力値のセル間の差異による影響が緩和され、受信強度は各セルのパスの回線状態を正しく示すものとなり、移動局による通信における品質の劣化が緩和される。
【発明を実施するための最良の形態】
【００２３】
本発明を実施するための最良の形態について図面を参照して詳細に説明する。ただし、本実施形態は本発明の技術的範囲を制限するものではない。
【００２４】
（第１の実施例）
図１および図２は、本発明の第１の実施例の移動通信システムの構成を示すブロック図である。図１では移動局１０１はソフトハンドオーバ状態にあり、図２では移動局１０１はソフターハンドオーバ状態にある。ソフトハンドオーバ状態とは複数の無線基地局をまたいだハンドオーバをしている状態である。ソフターハンドオーバ状態とは１つの無線基地局の複数のセルをまたいだハンドオーバをしている状態である。
【００２５】
図１を参照すると、第１の実施例の移動通信システムは基地局１０２，１０３、基地局制御装置１０６、および交換局１０７を有している。基地局制御装置１０６には複数の基地局が接続されており、その中の２つの基地局１０２，１０３が図示されている。基地局と基地局制御装置とによって無線アクセス網が構成される。
【００２６】
移動局１０１は複数のセルをハンドオーバ対象とし、ハンドオーバ対象の複数のセルと同時に信号を送受信することのできる無線通信端末であり、例えば携帯電話機である。図１では、移動局１０１はセル１０４とセル１０５の重複領域に位置しており、２つのセル１０４，１０５をハンドオーバ対象とし、それらセル１０４，１０５からの下り信号を受信している。また、移動局１０１から送信された上り信号はセル１０４，１０５で受信されている。
【００２７】
基地局１０２，１０３は基地局制御装置１０６に接続されており、無線信号で移動局１０１と接続することにより移動局１０１と基地局制御装置１０６の間の通信を可能にする無線基地局である。図１では、基地局１０２がセル１０４を形成し、基地局１０３がセル１０５を形成している。
【００２８】
基地局制御装置１０６は、基地局１０２，１０３および交換局１０７と接続されており、基地局１０２，１０３を制御し、移動局１０１による通信を可能にする。例えば、基地局制御装置１０６は、呼設定時の基地局１０２，１０３を介した移動局１０１の呼び出し、通信中のハンドオーバ制御におけるパスの設定および削除などを行う。
【００２９】
交換局１０７は、基地局制御装置１０６および他網と接続されており、移動局１０１による基地局制御装置１０６を介した通信の回線交換を行う装置である。
【００３０】
図１の状態における移動通信システムの動作について説明する。図１の状態では、上述したように移動局１０１は、ソフトハンドオーバ状態にあり、基地局１０２，１０３の両方と接続している。移動局１０１の通信データは、基地局１０２によるセル１０４のパスと、基地局１０３によるセル１０５のパスの両方で伝送される。この通信データは音声データ、あるいは非音声データおよびその制御信号などである。
【００３１】
移動局１０１は基地局１０２，１０３を介して基地局制御装置１０６との間でコネクションを設定し、そのコネクション上で基地局制御装置１０６と制御情報を送受信する。また、移動局１０１から送信された通信データは基地局１０２，１０３、基地局制御装置１０６、および交換局１０７を介し他網へ送信され、最終的には通信相手局（不図示）に伝達される。また、逆に通信相手局から送信された通信データは逆の経路を通って移動局１０１に伝達される。
【００３２】
図２を参照すると、基地局制御装置１０６には基地局２０１が接続されている。基地局２０１は、図１に示した基地局１０２，１０３と同様の機能を備えているが、基地局１０２，１０３と異なり、同一周波数の２つのセル２０２，２０３を形成している。図２では移動局１０１がセル２０２とセル２０３の重複領域に位置している。
【００３３】
図２の状態における本実施例の移動通信システムの動作について説明する。図２の状態では、移動局１０１はソフターハンドオーバ状態にあり、セル２０２，２０３の両方と接続している。
【００３４】
移動局１０１の通信データはセル２０２とセル２０３の両方のパスで伝送される。移動局１０１は基地局２０１を介して基地局制御装置１０６との間でコネクションを設定し、そのコネクション上で基地局制御装置１０６と制御情報を送受信する。また、移動局１０１から送信された通信データは基地局２０１、基地局制御装置１０６、および交換局１０７を介して他網へ送信され、最終的には通信相手局（不図示）に伝達される。また、逆に通信相手局から送信された通信データは逆の経路を介して移動局１０１に伝達される。
【００３５】
図１あるいは図２の状態にある移動局１０１は、基地局から各セルのＣＰＩＣＨ信号を受信し、セル毎にＣＰＩＣＨ信号の受信強度を測定する。更に移動局１０１は、その受信強度の測定結果を含む測定情報を、基地局を介して基地局制御装置１０６に報告する。
【００３６】
基地局１０２，１０３，２０１は、移動局１０１からの測定情報をそのまま転送するのではなく、そこに含まれている受信強度を変換してから基地局制御装置１０６へ送る。具体的には、基地局は予め各セルのＣＰＩＣＨ信号の送信電力値を記憶している。そして、基地局は、移動局１０１から受信した測定情報に含まれているＣＰＩＣＨ信号の受信強度を、そのＣＰＩＣＨ信号の送信電力値に基づいて補正する。この補正によってＣＰＩＣＨ信号の受信強度は、パスの推定されるロスを反映した値に変換される。
【００３７】
基地局制御装置１０６は、移動局１０１で測定され基地局で補正された各セルの受信強度に基づいてハンドオーバ対象のセルを決定し、ハンドオーバ制御における各セルのＣＰＩＣＨ信号のパスの設定または解除を基地局に指示する。
【００３８】
図３は、第１の実施例による基地局の構成を示すブロック図である。図１に示した基地局１０２，１０３と図２に示した基地局２０１とに共通する構成が図３に基地局３０１として示されている。
【００３９】
図３を参照すると、基地局３０１は、送受信アンテナ３０２、送信部３０３、受信部３０４、制御部３０５、およびＩＮＦ部３０６を有している。送受信アンテナ３０２、送信部３０３、および受信部３０４はセル毎に設けられるので、複数のセルを形成する基地局２０１は複数の送受信アンテナ３０２、送信部３０３、および受信部３０４を有している。
【００４０】
送受信アンテナ３０２は、無線信号を送受信するためのアンテナであり、移動局１０１との通信に使用される。
【００４１】
送信部３０３は、制御部３０５からの送信すべきＲＦ信号の通信データを増幅し、送受信アンテナ３０２を介して移動局１０１に送信する。送信部３０３による通信データの増幅度は可変であり制御部３０５からの指示により設定される。制御部３０５からの指示は、移動局１０１から通知されたＴＰＣ（Ｔｒａｎｓｍｉｔ  Ｐｏｗｅｒ  Ｃｏｎｔｒｏｌ）情報に基づいている。なお、通信データは個別チャネルで送信されるので、共通チャネルのＣＰＩＣＨ信号はこれとは別に増幅される。ＣＰＩＣＨ信号はセル毎に固定された送信電力で送信される。
【００４２】
受信部３０４は、移動局１０１から送受信アンテナ３０２を介して受信したＲＦ信号を増幅し、制御部３０５に送る。受信部３０４では所望のユーザ（移動局１０１）のＲＦ信号だけでなく干渉信号も同時に受信される。受信部３０４はＲＴＷＰ（Ｒｅｃｅｉｖｅｄ  ｔｏｔａｌ  ｗｉｄｅｂａｎｄ  ｐｏｗｅｒ）を測定して制御部３０５に通知する機能を備えている。
【００４３】
制御部３０５は、移動局１０１と基地局制御装置１０６の間の通信の制御および中継と、基地局３０１内の各種回路の制御とを行う。具体的には、制御部３０５は送信信号に対して誤り訂正符号化および拡散を行う。また制御部３０５は受信信号に対してチップ同期、逆拡散、レイク合成、および誤り訂正復号を行う。さらに、制御部３０５は移動局１０１からの受信信号のセル毎のＳＩＲを測定する。また、制御部３０５は上りおよび下りの送信電力制御を行う。上り送信電力制御において制御部３０５は、測定したＳＩＲに基づいて決定したＴＰＣ情報を送信部３０３を介して移動局１０１に送信する。ＴＰＣ情報には増幅度を上げるあるいは下げることを指示する情報が含まれている。また下り送信電力制御において、制御部３０５は、移動局１０１から受信したＴＰＣ情報に基づいて送信部３０４の増幅度を制御する。
【００４４】
また、制御部３０５は本実施例に特有の処理をも行う。本実施例に特有の処理とは、移動局１０１からの測定情報に含まれているＣＰＩＣＨ信号の受信強度を変換してから、基地局制御装置１０６に送信する処理である。制御部３０５は各セルのＣＰＩＣＨ信号の送信電力値を予め記憶しており、その送信電力値に基づいてＣＰＩＣＨ信号の受信強度の値を補正する。この補正は、相対的に、ＣＰＩＣＨ信号の送信電力値の大きいセルの受信強度を下げ、送信電力値の小さいセルの受信強度を上げるような補正である。これにより送信電力値のセル間の差異による影響が緩和され、測定情報の受信強度は各セルのパスの回線状態を正しく示すものとなる。その結果として通信品質の劣化が緩和される。
【００４５】
ＩＮＦ部３０６は、基地局制御装置１０６との通信インターフェイスであり、制御部３０５と基地局制御装置１０６との間の信号を、伝送路を介して基地局制御装置１０６と送受信する。
【００４６】
本実施例による移動通信システムの動作について説明する。ここではセル２０２のＣＰＩＣＨ信号の送信電力値よりもセル２０３のＣＰＩＣＨ信号の送信電力値の方が大きいものとする。図２に示したように移動局１０１がセル２０２およびセル２０３の両方をハンドオーバ対象として通信している状態から移動してセル２０３に近づいていくとする。
【００４７】
移動局１０１は継続的にセル２０２のＣＰＩＣＨ信号の受信強度とセル２０２のＣＰＩＣＨ信号の受信強度とを測定し、測定情報として基地局２０１を介して基地局制御装置１０６に通知する。基地局２０１は移動局１０１から測定情報を受信すると、その測定情報に含まれている受信強度を上述したように変換してから測定情報を基地局制御装置１０６へ送信する。
【００４８】
その際に基地局２０１では、移動局１０１からの測定情報が受信部３０４を介して制御部３０５に通知される。制御部３０５は、その測定情報に該当するセルのＣＰＩＣＨ信号の送信電力値に基づいて、測定情報に含まれている受信強度を補正し、補正後の受信強度を測定情報としてＩＮＦ部３０６を介して基地局制御装置１０６に送信する。
【００４９】
基地局制御装置１０６は、セル２０３のＣＰＩＣＨ信号の受信強度が所定の閾値以上になるか、あるいはセル２０２のＣＰＩＣＨ信号の受信強度が所定の閾値以下になると、ハンドオーバ対象をセル２０３のみと判断し、セル２０２のパスを削除する処理を開始する。
【００５０】
基地局における補正の一例として、制御部３０５は移動局１０１から通知された測定情報に含まれている受信強度から、ＣＰＩＣＨ信号の送信電力値と所定の基準値との差分値を減算すればよい。また他の例として、測定情報に含まれている受信強度から、ＣＰＩＣＨ信号の送信電力値を単純に減算してもよい。この場合、受信強度がマイナスの値になるので、基地局制御装置１０６で用いる閾値を、それを想定した値にしておくとよい。また他の例として、同一の基地局２０１によるセル２０２，２０３の中のＣＰＩＣＨ信号の送信電力が高いセルの受信強度から、送信電力の高いセルと低いセルとのＣＰＩＣＨ信号の送信電力の差分値を減算してもよい。また他の例として、同一の基地局２０１によるセル２０２，２０３の中のＣＰＩＣＨ信号の送信電力が低いセルの受信強度に、送信電力の高いセルと低いセルとのＣＰＩＣＨ信号の送信電力の差分値を加算してもよい。
【００５１】
また、ここでは受信強度の値を補正する例を示したが、本発明はこれに限定されるものではない。移動局１０１から基地局制御装置１０６への測定情報の報告についてＣＰＩＣＨ信号の送信電力値のセル間の差異による影響を緩和し、パスのロスの推定の精度を上げることができればよい。例えば、受信強度を含む測定情報の報告にセルのＣＰＩＣＨ信号の送信電力値を付加して基地局制御装置１０６に送ることにしてもよい。上述した受信強度の変換はこれを含んでいる。
【００５２】
その場合、基地局制御装置１０６は、測定情報の報告に含まれている、移動局１０１から通知された受信強度と、同じく報告に含まれている、基地局２０１から通知された送信電力値とに基づいて、ハンドオーバ対象のセルを判断すればよい。
【００５３】
図４は、第１の実施例による移動通信システムの動作を示すフローチャートである。図４を参照すると、まず、基地局２０１は、移動局１０１からＣＰＩＣＨ受信電力報告の受信を監視する（ステップＳ４０１）。ＣＰＩＣＨ受信電力報告はＣＰＩＣＨ信号の移動局１０１における受信強度の測定情報の報告である。ＣＰＩＣＨ受信電力報告を受信すると、基地局２０１はその中の受信強度の値を変換してからＣＰＩＣＨ受信電力報告を基地局制御装置１０６に送信する（Ｓ４０２）。
【００５４】
ＣＰＩＣＨ受信電力報告を受信すると基地局制御装置１０６はパス削除判定を行う（ステップＳ４０３）。パス削除判定とは、ＣＰＩＣＨ受信電力報告の対象となっているセルをハンドオーバ対象から削除するか否かの判定である。基地局制御装置１０６は、ＣＰＩＣＨ受信電力報告に含まれていた受信強度の値と予め記憶しておいた閾値とを比較することにより判定する。パスを削除しないと判断すると、基地局制御装置１０６はステップＳ４０１に戻る。
【００５５】
パスを削除すると判断すると、基地局制御装置１０６はパス削除制御を実行する（ステップＳ４０４）。パス削除制御において基地局制御装置１０６は基地局２０１および移動局２０１に対してパスの削除を指示する。
【００５６】
なお、ここではパスを削除する場合を例示したが、パスを追加する場合も同様に、基地局２０１は移動局１０１からのＣＰＩＣＨ受信電力報告に含まれている受信強度の値を変換する。
【００５７】
次に本実施例による移動通信システムの動作例として、移動局１０１の移動により図８に示したように状態遷移した場合の動作について説明する。
【００５８】
ＰＴ１はセル２０２のＣＰＩＣＨ信号の送信電力を示し、ＰＴ２はセル２０３のＣＰＩＣＨ信号の送信電力を示している。また、ＰＲ１はセル２０２からのＣＰＩＣＨ信号の移動局１０１での受信電力を示し、ＰＲ２はセル２０３からのＣＰＩＣＨ信号の移動局１０１での受信電力を示している。Ｌ１はセル２０２と移動局１０１の間のパスのロスを示し、Ｌ２はセル２０３と移動局１０１の間のパスのロスを示している。
【００５９】
図を見て分かるように、ここではセル２０３のＣＰＩＣＨ信号の送信電力ＰＴ１がセル２０２のＣＰＩＣＨ信号の送信電力ＰＴ２よりも高い。また、移動局１０１はセル２０２から遠ざかりセル２０３に近づくように移動しているものとする。
【００６０】
移動局１０１から通知される測定情報には、セル２０２のＣＰＩＣＨ信号の受信強度ＰＲ１と、セル２０３のＣＰＩＣＨ信号の受信強度ＰＲ２とが含まれている。移動局１０１の移動に伴って受信強度ＰＲ１、ＰＲ２の値は図８のグラフに示されているように変化していく。
【００６１】
そして、Ａ地点ではセル２０２の受信強度ＰＲ１がセル２０３の受信強度よりも高くなっている。しかし、それはセル２０２のＣＰＩＣＨ信号がセル２０３のＣＰＩＣＨ信号よりも高い電力で送信されているからであり、実際の各セル２０２，２０３のパスのロスはＬ１＜Ｌ２という関係にある。
【００６２】
基地局２０１は移動局１０１からの受信強度ＰＲ１，ＰＲ２を、推定されるロスＬ１，Ｌ２を示す値つまりパスの回線状態を示す値に補正する。図から分かるようにＡ点では未だセル２０３のパスの回線品質がセル２０２のパスの回線品質より高く、ハンドオーバ対象からセル２０２を削除すべきではない。それ故、この段階では基地局制御装置１０６は未だセル２０２を削除しない。このように、本実施例によれば、ロスの小さなセル２０２のパスを誤ってハンドオーバ対象から削除してしまうのを防止することができる。その結果、ＣＰＩＣＨ信号の送信電力がセル間で異なることに起因する通信品質の劣化を緩和することができる。
【００６３】
そして最終的に、補正後の受信強度の値がセル２０２を削除するための条件を満たしたとき、基地局制御装置１０６はセル２０２を削除する。
【００６４】
なお、本実施例の移動通信システムは、図１に示したソフトハンドオーバ状態でも、基地局１０２，１０３が移動局１０１からの測定情報に含まれている受信強度の値を変換する。基地局制御装置１０６は、基地局１０２，１０３で変換された測定情報でハンドオーバ対象のセルを決定する。これにより、ソフトハンドオーバ状態においても、各セルのパスの状態に応じたハンドオーバ制御が可能となり、共通チャネル信号の送信電力がセル間で異なることに起因する通信品質の劣化を緩和することができる。
【００６５】
（第２の実施例）
第２の実施例による移動通信システムでは、移動局１０１からの測定情報の変換を基地局ではなく基地局制御装置１０６がする。
【００６６】
第２の実施例による移動通信システムの基本的な構成は図１，２に示した第１の実施例のものと同様である。しかし、基地局３０１の制御部３０５は移動局１０１から受信部３０４を介して受信した、ＣＰＩＣＨ信号の受信強度の測定値を含む測定情報をそのまま基地局制御装置１０６に転送する。一方、基地局制御装置１０６は、移動局１０１から基地局を介して受信した測定情報からハンドオーバ対象のセルを決定するとき、測定情報に含まれている受信強度を変換し、変換後の値を用いる。
【００６７】
第２の実施例における受信強度の変換は、第１の実施例において基地局３０１が行ったのと同じ方法でよい。
【００６８】
（第３の実施例）
第３の実施例による移動通信システムでは、基地局３０１は、移動局１０１から通知された受信強度に対する変換処理において、ＣＰＩＣＨ信号の送信電力だけでなく、ＲＴＷＰ（Ｒｅｃｅｉｖｅｄ  ｔｏｔａｌ  ｗｉｄｅｂａｎｄ  ｐｏｗｅｒ）情報をも用いる。
【００６９】
ＲＴＷＰはセルのトータルの受信電力であり、基地局３０１の受信において干渉成分となりうる。それ故、ＲＴＷＰの高いセルのパスをハンドオーバ対象から削除し、ＲＴＷＰの低いセルのパスを残すのが好ましい。したがって、ＲＴＷＰの高いセルの受信強度を相対的に下げ、ＲＴＷＰの低いセルの受信強度を相対的に上げればよい。例えば、基地局３０１の制御部３０５はセルのＲＴＷＰを測定する。そして、ＲＴＷＰが所定の閾値を超えていたら、制御部３０５はそのセルの受信強度の変換において、第１の実施例に示した変換をした上で所定のＲＴＷＰ調整値を減算する。
【００７０】
これにより測定情報の受信強度は各セルのパスの回線状態をより正しく示すものとなり、通信品質の劣化がより緩和される。
【００７１】
なお、ここでは基地局３０１が受信強度を変換する例を示したが、本発明はこれに限定されるものではない。他の例として、基地局制御装置１０６がセルの受信強度の変換において、第２の実施例に示した変換をした上で更に所定のＲＴＷＰ調整値を減算することにしてもよい。その場合、基地局３０１は測定したＲＴＷＰ値を基地局制御装置１０６に通知することにすればよい。
【００７２】
（第４の実施例）
第４の実施例による移動通信システムでは、基地局３０１は、移動局１０１から通知された受信強度に対する変換処理において、ＣＰＩＣＨ信号の送信電力だけでなく、ＳＩＲ（Ｓｉｇｎａｌ  ｔｏ  Ｉｎｔｅｒｆｅｒｅｎｃｅ  Ｒａｔｉｏ）情報をも用いる。ＳＩＲは信号対干渉電力比である。
【００７３】
ＳＩＲが高いことは、干渉の受信強度に対して所望信号の受信強度が高いことを意味する。それ故、ＳＩＲの高いセルをハンドオーバ対象に選択し、ＳＩＲの低いセルをハンドオーバ対象から削除するのが好ましい。したがって、ＳＩＲの高いセルの受信強度を相対的に上げ、ＳＩＲの低いセルの受信強度を相対的に下げればよい。例えば、基地局３０１の制御部３０５はセルのＳＩＲを測定する。そして、ＳＩＲが所定の閾値以下であれば、制御部３０５はそのセルの受信強度の変換において、第１の実施例に示した変換をした上で更に所定のＳＩＲ調整値を減算する。
【００７４】
これにより測定情報の受信強度は各セルのパスの回線状態をより正しく示すものとなり、通信品質の劣化がより緩和される。
【００７５】
なお、ここでは基地局３０１が受信強度を変換する例を示したが、本発明はこれに限定されるものではない。他の例として、基地局制御装置１０６がセルの受信強度の変換において、第２の実施例に示した変換をした上で更に所定のＳＩＲ調整値を減算することにしてもよい。その場合、基地局３０１は測定したＳＩＲ値を基地局制御装置１０６に通知することにすればよい。
【００７６】
（第５の実施例）
第５の実施例による移動通信システムでは、基地局３０１は第１の実施例の動作に加え、ハンドオーバ制御において同一周波数の複数のセルの上りパスを同時に追加あるいは削除する。これによって上りの個別チャネルの信号の受信強度を高めることができる。
【００７７】
基地局３０１は、あるセルをハンドオーバ対象に追加する指示を基地局制御装置１０６から受けると、上り方向については、そのセルおよびそのセルと同一周波数の他のセルにより移動局１０１との間にパスを設定する。これにより上り方向では同一周波数の複数のセルがハンドオーバ対象に追加される。また、基地局３０１は、あるセルをハンドオーバ対象から削除する指示を基地局制御装置１０６から受けると、上り方向については、そのセルおよびそのセルと同一周波数の他のセルによる移動局１０１とのパスを削除する。
【００７８】
なお、あるセルをハンドオーバ対象に追加あるいは削除する指示を受けたとき、上り方向について基地局３０１がそのセルと共にハンドオーバ対象に追加あるいは削除するセルは少なくとも１つであればよい。そして、基地局３０１がハンドオーバ対象に追加あるいは削除するセルは同一周波数の他の全てのセルであってもよい。
【００７９】
上りパスの設定において、基地局３０１は上りの個別チャネルが疎通するように各部に対して所定の設定を実施する。これにより上りパスとしてアンテナ部３０２、受信部３０４、および制御部３０５に経路が生じる。
【００８０】
これにより、上り個別チャネルについて基地局３０１は常に複数のパスの信号を受信することができる。その結果、上りの通信データの受信強度を高めることができ、データロスや信号劣化を抑制することができる。
【００８１】
図５は、第５の実施例における基地局によるパスの設定について説明するための図である。図５を参照すると、セル＃１〜＃３の３つのセルを形成することのできる基地局３０１が示されている。ここでは、基地局３０１は、移動局１０１との間にセル＃１によるパスを設定することを基地局制御装置１０６から要求されたものとする。基地局３０１は、その要求を受けると、セル＃１の上りおよび下りのパスを設定すると共に、セル＃２，３については上りのみのパスを設定する。
【００８２】
図６は、第５の実施例に移動通信システムのパス設定動作を示すフローチャートである。図６を参照すると、まず、基地局３０１は、基地局制御装置１０６からのパス設定要求の受信を監視する（ステップＳ６０１）。パス設定要求を受信すると、基地局３０１はその要求にて指定されたセルの上りおよび下りのパスを設定する（ステップＳ６０２）。
【００８３】
次に、基地局３０１は、指定されたセルと同一周波数の他のセルの有無を判定する（ステップＳ６０３）。同一周波数の他のセルが無ければ基地局３０１は処理を終了する。同一周波数の他のセルがあれば、基地局３０１は、他のセルの上りのみのパスを設定する（ステップＳ６０４）。
【００８４】
なお、他のセルの設定要求によって上りパスだけが設定されているセルを指定したパス設定要求を受けた場合、基地局３０１は、指定されたセルについて上りおよび下りの両方のパスを設定した状態にすればよい。これにより、同一周波数の複数のセルについて上りおよび下りのパスが設定され、更に同一周波数の他のセルについて上りのみのパスが設定されている状態となる。
【００８５】
この状態では、基地局３０１は、上りの通信データを、基地局制御装置１０６から指定されたセルによる上りパスの信号とそのセルと同一周波数の他のセルによる上りパスの信号とを合成することにより得る。一方、下りの通信データについては、移動局１０１は基地局制御装置１０６から指定されたセルによる下りパスの信号のみから得る。また、基地局３０１は、移動局１０１に送信電力制御を指示するＴＰＣ情報を、基地局制御装置１０６から指定されたセルによる下りパスのみに送信することで、無駄な送信電力を抑制する。
【００８６】
また、その状態からいずれかのセルを指定したパス開放要求を受けると、基地局３０１は、指定されたセルについては上りのパスのみが設定された状態に移行し、他のセルに対しては何もしない。そして、基地局３０１は、上りおよび下りのパスが設定されている最後のセルを開放する要求を受けたとき、上りのみのパスが設定されている他のセルのパスを同時に開放する。
【００８７】
図７は、第５の実施例に移動通信システムのパス開放動作を示すフローチャートである。図７を参照すると、まず、基地局３０１は、基地局制御装置１０６からのパス開放要求の受信を監視する（ステップＳ７０１）。パス開放要求を受信すると、基地局３０１はその要求にて指定されたセルの下り（送信用）のパスを開放する（ステップＳ７０２）。
【００８８】
次に、基地局３０１は、指定されたセルと同一周波数の他のセルの開放の要否を判定する（ステップＳ７０３）。開放要求にて指定されたパスが基地局３０１内のその呼の最後のパスであれば他のセルの開放が必要である。最後のパスでなければ他のセルの開放は不要である。
【００８９】
同一周波数の他のセルの開放が不要であれば基地局３０１は処理を終了する。同一周波数の他のセルの開放が必要であれば、基地局３０１は、他のセルの上りのパスを全て開放する（ステップＳ７０４）。全ての上りパスを開放する際には、制御部３０５の有するメモリなどのリソースの開放も同時に行われる。
【図面の簡単な説明】
【００９０】
【図１】第１の実施例の移動通信システムの構成を示すブロック図である。
【図２】第１の実施例の移動通信システムの構成を示す他のブロック図である。
【図３】第１の実施例による基地局の構成を示すブロック図である。
【図４】第１の実施例による移動通信システムの動作を示すフローチャートである。
【図５】第５の実施例における基地局によるパスの設定について説明するための図である。
【図６】第５の実施例に移動通信システムのパス設定動作を示すフローチャートである。
【図７】第５の実施例に移動通信システムのパス開放動作を示すフローチャートである。
【図８】ＣＰＩＣＨ信号の受信強度とパスロスの関係を説明するための図である。
【符号の説明】
【００９１】
１０１  移動局
１０２，１０３，２０１    基地局
１０４，１０５，２０２，２０３    セル
１０６    基地局制御装置
１０７    交換局
３０１    基地局
３０２    送受信アンテナ
３０３    送信部
３０４    受信部
３０５    制御部
３０６    ＩＮＦ部
Ｓ４０１〜Ｓ４０４，Ｓ６０１〜Ｓ６０４，Ｓ７０１〜Ｓ７０４    ステップ
【図１】
2008098847.tif 000003
【図２】
2008098847.tif 000004
【図３】
2008098847.tif 000005
【図４】
2008098847.tif 000006
【図５】
2008098847.tif 000007
【図６】
2008098847.tif 000008
【図７】
2008098847.tif 000009
【図８】
2008098847.tif 000010